(57)【要約】      （修正有）【課題】リング形フィットネスボール改良構造を提供する。【解決手段】リング形フィットネスボールには、リング形胞状物の内部にリング状の空気入れ空間が作られ、リング形胞状物の外部にリング状表面及び中央孔貫通部が作られており、且つ、リング状の空気入れ空間は中央穴貫通部より、断面直径が大きいものであり、リング状空気入れ空間の中に同時に重量物を入れており、リング状表面の予定エリアに同時に間隔を置きながら分布する突起部が設けられることを特徴とするものであり、重量物を設けることによって、リング形胞状物に重量及び安定作用が生じさせ、リング形フィットネスボールを使用するときの安定感及び安全感を高めると同時に、重量の効果が生するので、使用者がリング形フィットネスボールを揺るがしたり、転がしたり、運んだりしても、より大きな抵抗力及び重量感ができ、筋力を鍛える効果があるものである。【選択図】  図１
0003130320.tif 000002
【実用新案登録請求の範囲】
【請求項１】
リング形胞状物が設けられており、前記リング形胞状物の内部にリング状の空気入れ空間が作られ、リング形胞状物の外部にリング状表面及び中央孔貫通部が作られており、且つ、前記リング状の空気入れ空間は中央穴貫通部より、断面直径が大きいものであり、前記リング状空気入れ空間の中に同時に重量物を入れており、前記リング状表面の予定エリアに同時に間隔を置きながら分布する突起部が設けられていることを特徴とするリング形フィットネスボール。
【請求項２】
前述重量物は、砂、金属砂、スチィールボール、ブラスチック粒、プラスチック中空玉、紙くず、液体物のいずれかであることを特徴とする請求項１のリング形フィットネスボール。
【請求項３】
前記突起部は、前記リング状表面からなる一体化した中空又は中身が詰まったフランジ形状物であることを特徴とする請求項１のリング形フィットネスボール。
【請求項４】
前記突起部は、前記リング状表面の天辺、底の全部又は一部に、或いは前記リング状表面の天辺又は底の全部又は一部の箇所だけに設け、分布することができることを特徴とする請求項１のリング形フィットネスボール。
【請求項５】
前述リング形胞状物は、人に乗せる寸法の大きい仕様に、又は手に持たせる寸法の小さい仕様に設けることができることを特徴とする請求項１のリング形フィットネスボール。
【請求項６】
リング形胞状物が設けられており、前記リング形胞状物の内部にリング状の空気入れ空間が設けられ、リング形胞状物の外部にリング状表面及び中央穴貫通部が設けられており、且つ、前記リング状の空気入れ空間は中央穴貫通部より、断面直径が大きいものであり、リング状の空気入れ空間には同時に重量物を入れてあることを特徴とするリング形フィットネスボール。
【請求項７】
前述重量物は、砂、金属砂、スチィールボール、ブラスチック粒、プラスチック中空玉、紙くず、液体物のいずれかであることを特徴とする請求項６のリング形フィットネスボール。
【請求項８】
前述リング形胞状物は、人に乗せる寸法の大きい仕様に、又は手に持たせる寸法の小さい仕様に設けることができることを特徴とする請求項６のリング形フィットネスボール。
【請求項９】
リング形胞状物が設けられており、前記リング形胞状物の内部にリング状の空気入れ空間が作られ、リング形胞状物の外部にリング状表面及び中央孔貫通部が作られており、且つ、前記リング状の空気入れ空間は中央穴貫通部より、断面直径が大きいものであり、前記リング状表面の予定エリアに同時に間隔を置きながら分布する突起部が設けられることを特徴とするリング形フィットネスボール。
【請求項１０】
前記突起部は、前記リング状表面からなる一体した中空又は中身が詰まったフランジ形状物であることを特徴とする請求項９のリング形フィットネスボール。
【請求項１１】
前記突起部は、前記リング状表面の天辺、底の全部又は一部に、或いは前記リング状表面の天辺又は底の全部又は一部の箇所だけに設け、分布することができることを特徴とする請求項９のリング形フィットネスボール。
【請求項１２】
前述リング形胞状物は、人に乗せる寸法の大きい仕様に、又は手に持たせる寸法の小さい仕様に設けることができることを特徴とする請求項９のリング形フィットネスボール。
【考案の詳細な説明】
【技術分野】
【０００１】
この考案はフィットネスボールに関わり、特にリング形フィットネスボール構造に関するものである。
【背景技術】
【０００２】
従来のフィットネスボールには、丸いボールの形をし、使用時によく転がり、また、凭れたら不安定してあり、人が容易に転げるため、初心者やバランス感覚が悪い人に適合しない問題点や欠点があった。従って、本考案者は以前、改良式のフィットネスボールを開発しており、台湾出願の特許出願番号０９５２０５７１８号の“リング形フィットネスボール構造”を参照すると分かるように、それは主にリング形胞状物が設けられており、前記リング形胞状物の内部にリング状の空気入れ空間が作られ、リング形胞状物の外部にリング状表面及び中央孔貫通部が作られており、且つ、前記リング状の空気入れ空間は中央穴貫通部より、断面直径が大きいものであり、その改良設計により、安定に凭れられ、乗せられる安全性を兼ねるものに供することができると同時に、その丸い周りで、よく転がる使用効果を維持することができるものである。
【０００３】
本考案者はその後、継続的に考えを重ね、試しに使っているうちに、前記リング形フィットネスボール構造には更に改良し、機能性をより向上させる余地があると認め、また、その関連製品の製造、開発及び設計に関する長年の経験を有する者で、上述の目標について、詳しく設計及び評価を行った後、実用性を有する本考案を作ったのである。
【考案の開示】
【考案が解決しようとする課題】
【０００４】
本考案は以前提出され、周知されたリング形フィットネスボールを更に改良するという課題を解決するリング形フィットネスボール構造を提供することを目的とするものである。
【課題を解決するための手段】
【０００５】
前記リング形フィットネスボールは、リング形胞状物が設けられており、前記リング形胞状物の内部にリング状の空気入れ空間が作られ、リング形胞状物の外部にリング状表面及び中央孔貫通部が作られており、且つ、前記リング状の空気入れ空間は中央穴貫通部より、断面直径が大きいものである。本考案の技術は、前記リング状空気入れ空間の中に同時に重量物を入れており、前述重量物は、砂、金属砂、スチィールボール、ブラスチック粒、プラスチック中空玉、紙くず、液体物に分けることができ、前記重量物の増設により、前記リング形胞状物に適当な重量及び安定作用を増加させて、前記リング形フィットネスボールを使用するときの安定感及び安全性を高めると同時に、前記重量物が生じる重量の効果で、使用者が前記リング形フィットネスボールを揺るがしたり、転がしたり、運んだりしても、より大きな抵抗力及び重量感ができ、使用者の筋力を鍛え、高める実用性を持つものである。
【０００６】
本考案において、もう一つの技術は前記リング状表面の予定エリアに同時に間隔を置きながら分布する突起部が設けられており、前記突起部の箇所がマッサージを行う部分を形成することにより、使用者が前記リング形フィットネスボールを使用しているとき、同時に体をマッサージし、疲れを解消し、健康を促す長所を持つものを提供することをもう一つの目的とする。
【考案の効果】
【０００７】
本考案は次のような効果がある。
【０００８】
１．前記リング状の空気入れ空間１２に重量物２０を設けるオリジナル設計は、前記重量物２０を設けることによって、前記リング形フィットネスボール１０のリング形胞状物１１に適当な重量及び安定作用を生じさせて、前記リング形フィットネスボール１０を使用するときの安定感及び安全性を高めると同時に、前記重量物２０が生じる重量の効果で、使用者が前記リング形フィットネスボールを揺るがしたり、転がしたり、運んだりしても、より大きな抵抗力及び重量感ができ、使用者の筋力を鍛え、高める実用性がある。
【０００９】
２．本考案は更に、前記リング形胞状物１１のリング状表面１３の予定エリアに間隔を置きながら分布する突起部３０を設ける技術を有しており、それによって、前記突起部３０の箇所にマッサージを行う部分を形成し、使用者が前記該リング形フィットネスボール１０を使用しているとき、同時に体をマッサージして、疲れを解消し、健康を促す長所がある。
【考案を実施するための最良の形態】
【００１０】
まず、図１、図２に示すように、この考案のリング形フィットネスボール構造の好適な具体例では、これらの実施例を説明するのに供するものであり、この構造に制限されないものである。前記リング形フィットネスボール１０はリング形胞状物１１が設けられ、気密の模造皮革で作られたものであり、前記リング形胞状物１１の内部にリング状空気入れ空間１２が作られ、前記リング状空気入れ空間１２の予定エリアに空気を入れたり、洩らしたりすることができるバルブが設けられている（図示なし）。前記リング形胞状物１１の外部にリング状表面１３及び中央孔貫通部１４が設けられており、リング状の空気入れ空間１２の断面直径Ｌ１は中央孔貫通部１４の断面直径Ｌ２より大きいものであり、また、前記リング状の空気入れ空間１２の中に同時に重量物２０を入れており、前記リング状表面１３の予定エリアに同時に間隔を置きながら分布する突起部３０が設けられている。
【００１１】
前記重量物２０は、砂、金属砂、スチィールボール、ブラスチック粒、プラスチック中空玉、紙くず、液体物に分けることができるものであり、図１に示す重量物２０は、より細かい粉末状のものであり、図３に示す重量物２０Ｂは大きさがより大きい粒状又はボール状のものであり、図４に示す重量物２０Ｃは液体のものである。
【００１２】
前記突起部３０は、前記リング状表面１３からなる一体化した中空又は中身が詰まったフランジ形状物であるもの。
【００１３】
前記突起部３０は、前記リング状表面１３の天辺、底の全部又は一部に、或いは前記リング状表面の天辺又は底の全部又は一部の箇所だけに設け、分布することができるものであり、図１に示すように、前記リング状表面１３の天辺の片側だけに突起部３０が設けられる構造形態であり、図５に示すように、前記リング状表面１３の天辺の両側に突起部３０が設けられる構造形態であり、また、図６に示すように、前記リング状表面１３の天辺も底面もすべて突起部３０が設けられる構造形態である。
【００１４】
前記リング形フィットネスボール１０は、人に乗せる寸法の大きい仕様  （図７の通り）に設けられ、又は、図９に示すリング形フィットネスボール１０Ｂのように、手に持たせる寸法の小さい仕様に設けることができるものである。
【００１５】
前記リング状表面１３に設けられる突起部３０は、図１に示すように、間隔を置きながら分布する粒状のほかに、図１０に示す突起部３０Ｂのように、リング状又は間隔を置きながらスティック状に設けることができる。
【００１６】
上述の構造、設計、本考案に掲示するリング形フィットネスボール１０を使用するときに供することができる実施の形態は、本考案者が前述したように、先の台湾特許出願番号０９５２０５７１８号に既に詳しく説明してあるので、ここでそれ以上述べることにしないが、それは大概、使用者に乗せたり、凭れさせたりして、手や足を伸ばすようにするスポーツに使われる物であり、本考案は主に前記重量物２０を設けることによって、前記リング形胞状物に適当な重量及び安定作用を生じさせ、前記該リング形フィットネスボールを使用するときの安定感及び安全性を高めると同時に、前記重量物が生じる重量の効果で、使用者が前記リング形フィットネスボールを揺るがしたり、転がしたり、運んだりしても、より大きな抵抗力及び重量感ができ、使用者の筋力を鍛え、高める実用性を持つものであり、また、前記リング状表面１３に突起部３０を設ける構造の設計ことによって、前記突起部３０の間隔に突起の形態を成し、更にマッサージを行う部分を形成し、それによって、使用者が前記リング形フィットネスボール１０を使用しているとき、同時に体をマッサージする効果があり、それは図８に示すように、使用者が前記リング状表面１３に凭れかかるとき、前記の突起部３０で背中をマッサージする効果が出る。
【００１７】
以上の実施例により、本考案を具体的に説明し、その中に特定な用語で説明を進めてきたが、この考案の実用新案登録請求の範囲はこの実施の形態のものに限定されることなく、この技術分野における通常の知識を有する者が本考案のコンセプトと原理を理解した後、それを変更し修正して、同じ効果を有する目的を達成することができるので、そういう変更や修正を含め、すべて実用新案登録請求の範囲に属するものである。
【図面の簡単な説明】
【００１８】
【図１】本考案の好適な実施例の立体図である。
【図２】本考案の好適な実施例の断面図である。
【図３】本考案の重量物の形態を示すもう一つの実施例の図である。
【図４】本考案の重量物の形態を示すもう一つの実施例の図である。
【図５】本考案の突起部を設ける形態を示すもう一つの実施例の図である。
【図６】本考案の突起部を設ける形態を示すもう一つの実施例の図である。
【図７】本考案の使用状態のイメージ図一である。
【図８】本考案の使用状態のイメージ図二である。
【図９】本考案のリング形フィットネスボールが小さい仕様に設けられる実施例の図である。
【図１０】本考案の突起部の形状を示すもう一つの実施例の図である。
【符号の説明】
【００１９】
１０、１０Ｂ  リング形フィットネスボール
１１          リング形胞状物
１２          リング状の空気入れ空間
１３          リング状表面
１４          中央孔貫通部
Ｌ１、Ｌ２    断面直径
２０、２０Ｂ、２０Ｃ    重量物
３０、３０Ｂ  突起部
【図１】
0003130320.tif 000003
【図２】
0003130320.tif 000004
【図３】
0003130320.tif 000005
【図４】
0003130320.tif 000006
【図５】
0003130320.tif 000007
【図６】
0003130320.tif 000008
【図７】
0003130320.tif 000009
【図８】
0003130320.tif 000010
【図９】
0003130320.tif 000011
【図１０】
0003130320.tif 000012